(57)【要約】【課題】装置本体の外部にインク収容部を備える記録装置において、装置本体内のメンテナンスを容易に行うことができる記録装置を提供する。【解決手段】媒体に液体を吐出して記録を行う記録ヘッド２０を備える装置本体１２と、記録ヘッド２０に送る液体を収容する液体収容体２８と、装置本体１２の外部に設けられ、液体収容体２８を収納する収納ユニット１８ａ、１８ｂと、を備え、収納ユニット１８ａ、１８ｂ内から装置本体１２内にアクセス可能な開口部５０を少なくとも一つ備える、ことを特徴とする。【選択図】図８
2017124566.tif 000002
【特許請求の範囲】
【請求項１】
媒体に液体を吐出して記録を行う記録ヘッドを備える装置本体と、
前記装置本体の外部に設けられ、前記記録ヘッドに送る液体を収容する液体収容体を収
納可能な収納ユニットと、
前記液体収容体から前記記録ヘッドに至る前記液体の流路の少なくとも一部を形成する
チューブと、を備え、
前記収納ユニット内から前記装置本体内にアクセス可能な開口部を少なくとも一つ備え
る、ことを特徴とする記録装置。
【請求項２】
請求項１に記載の記録装置において、前記収納ユニットが、前記液体収容体を収納する
第１のスペースと、前記第１のスペースに対し前記装置本体の側に位置して前記チューブ
を収納する第２のスペースと、を分ける仕切り部材を備え、
前記開口部が、前記仕切り部材に設けられる仕切り側開口部を通って前記装置本体内に
連通する構成である、ことを特徴とする記録装置。
【請求項３】
請求項２に記載の記録装置において、前記仕切り側開口部を開閉可能なカバー部材を備
える、ことを特徴とする記録装置。
【請求項４】
請求項１から請求項３のいずれか一項に記載の記録装置において、
前記収納ユニットが、前記装置本体を構成する一対の側面の両方に設けられており、そ
れぞれの前記収納ユニット内に前記開口部を備える、ことを特徴とする記録装置。
【請求項５】
請求項１から請求項４のいずれか一項に記載の記録装置において、
前記開口部の少なくとも一つから、前記装置本体に設けられる構成部材を動作させるた
めの動作部にアクセス可能であることを特徴とする記録装置。
【請求項６】
請求項５に記載の記録装置において、前記動作部がギアであり、前記ギアの一部を露呈
させ、他の部分を覆うギアカバー部材を備えている、ことを特徴とする記録装置。
【請求項７】
請求項４に記載の記録装置において、
前記記録ヘッドを搭載するキャリッジと、
前記キャリッジを支持し、前記媒体の搬送方向と交差する方向に延設されるガイド軸と
、を備え、
前記記録ヘッドにおける液体吐出面と、前記記録ヘッドと対向する領域に位置する前記
媒体の記録面との間の距離を調整するカム機構を備えるギャップ調整部と、を備え、
前記カム機構が、前記ガイド軸の両端に設けられ、
前記一対の側面の両方に設けられた前記収納ユニット内の前記開口部が、前記ガイド軸
の両端に設けられる前記カム機構に対応する位置にある、
ことを特徴とする記録装置。
【請求項８】
請求項７に記載の記録装置において、
前記ガイド軸の両端に設けられる前記カム機構のうち、少なくとも一方側の前記カム機
構の一部と、対応する前記開口部の一部と、が装置高さ方向及び装置奥行方向において同
じ位置にある、ことを特徴とする記録装置。
【請求項９】
請求項５または請求項６に記載の記録装置において、
前記記録ヘッドを搭載し、所定方向に往復移動可能なキャリッジを備え、
前記動作部は、前記キャリッジの前記往復移動領域の一端側の位置に設定されるホーム
ポジションにおいて、前記キャリッジの移動をロックするキャリッジロックを解除するた
めのものであり、
前記動作部にアクセス可能な前記開口部は、前記ホームポジションに近い前記装置本体
の側面に設けられる前記収納ユニット内に設けられている、ことを特徴とする記録装置。
【請求項１０】
媒体に液体を吐出して記録を行う記録ヘッドを備える装置本体と、
前記装置本体の外部に設けられ、前記記録ヘッドに送る液体を収容する液体収容体を収
納可能な収納ユニットと、
前記液体収容体から前記記録ヘッドに至る前記液体の流路の少なくとも一部を形成する
チューブと、
前記装置本体に設けられる構成部材を動作させるための動作機構を備え、
前記収納ユニット内から前記動作機構を露呈させる開口部を少なくとも一つ備え、
前記開口部を平面視したときに前記動作機構が露呈する
ことを特徴とする記録装置。
【発明の詳細な説明】
【技術分野】
【０００１】
本発明は、媒体に記録を行う記録装置に関する。
【背景技術】
【０００２】
記録装置の一例として、搬送される媒体に記録ヘッドから液体（インク）を吐出して記
録を行うインクジェットプリンター（以下、単にプリンターと称する）がある。  
このようなプリンターにおいては、装置本体の外部に設けられたインク収容部からイン
ク供給チューブを介して前記記録ヘッドにインクを供給するように構成し、より多くのイ
ンク収容量を確保するものがある。  
【０００３】
例えば特許文献１には、プリンターの外部にインクパックを収容した密閉容器を吊り下げ
る構成が開示されている。また、特許文献２には、プリンターの装置本体の外部の側壁に
、インクタンクを備えるインク供給ユニットを設ける構成が開示されている。
【先行技術文献】
【特許文献】
【０００４】
【特許文献１】特開２００９−２０２３４６号公報
【特許文献２】特開２０１３−１７６９４５号公報
【発明の概要】
【発明が解決しようとする課題】
【０００５】
このような前記インクパック或いは前記インクタンクを収めたインク収容部を装置本体
外部に備えるプリンターにおいて、当該プリンターの装置本体内の部品交換等のメンテナ
ンスを行う際に、前記インク収容部を取り外す必要がある場合がある。  
前記インクパック或いは前記インクタンクは、インク収容量を確保するため大容量に形
成されており、これらを収めるインク収容部も大型に形成されているため、その取り外し
には時間と場所が必要となっていた。
【０００６】
そこで本発明の目的は、装置本体の外部にインク収容部を備える記録装置において、装
置本体内のメンテナンスを容易に行うことができる記録装置を提供することにある。
【課題を解決するための手段】
【０００７】
上記課題を解決するため、本発明の第１の態様に係る記録装置は、媒体に液体を吐出して
記録を行う記録ヘッドを備える装置本体と、前記装置本体の外部に設けられ、前記記録ヘ
ッドに送る液体を収容する液体収容体を収納可能な収納ユニットと、前記液体収容体から
前記記録ヘッドに至る前記液体の流路の少なくとも一部を形成するチューブと、を備え、
前記収納ユニット内から前記装置本体内にアクセス可能な開口部を少なくとも一つ備える
、ことを特徴とする。  
【０００８】
本態様によれば、前記収納ユニット内から前記装置本体内にアクセス可能な開口部を備え
ているので、前記収納ユニットを前記装置本体から取り外すことなく、前記装置本体内の
メンテナンスを行うことができる。    尚、本明細書において「開口部」とは周縁で囲わ
れた形状に限定されず、切欠きも含むものとする。  
【０００９】
本発明の第２の態様に係る記録装置は、第１の態様において、前記収納ユニットが、前記
液体収容体を収納する第１のスペースと、前記第１のスペースに対し前記装置本体の側に
位置して前記チューブを収納する第２のスペースと、を分ける仕切り部材を備え、前記開
口部が、前記仕切り部材に設けられる仕切り側開口部を通って前記装置本体内に連通する
構成である、ことを特徴とする。
【００１０】
本態様によれば、前記チューブを収納する第２のスペースが、前記仕切り部材によって
分けられているので、前記液体収容体の交換時に、ユーザーが前記チューブに触れる虞を
低減することができる。また前記仕切り部材により、引き回されるチューブの少なくとも
一部を隠すことができるので、見栄えの良い外観とすることができる。
【００１１】
本発明の第３の態様に係る記録装置は、第２の態様において、前記仕切り側開口部を開
閉可能なカバー部材を備える、ことを特徴とする。
【００１２】
本態様によれば、前記装置本体内のメンテナンス時には前記カバー部材を開け、前記装
置本体内のメンテナンスを行わないときには前記カバー部材を閉じることができる。  
以って、非メンテナンス時に前記装置本体内への塵や埃等の異物の侵入を抑制するとと
もに、見栄えの良い外観とすることができる。
【００１３】
本発明の第４の態様に係る記録装置は、第１の態様から第３の態様のいずれかにおいて
、前記収納ユニットが、前記装置本体を構成する一対の側面の両方に設けられており、そ
れぞれの前記収納ユニット内に前記開口部を備える、ことを特徴とする。
【００１４】
本態様によれば、前記装置本体の側面の両側から前記装置本体内にアクセスできるので
、記録装置のメンテナンス性を向上させることができる。
【００１５】
本発明の第５の態様に係る記録装置は、第１の態様から第４の態様のいずれかにおいて
、前記開口部の少なくとも一つから、前記装置本体に設けられる構成部材を動作させるた
めの動作部にアクセス可能であることを特徴とする。
【００１６】
本態様によれば、前記収納ユニットを前記装置本体から取り外すことなく、前記記録装
置のメンテナンスを行う作業者が前記動作部を動かすことができる。このことにより、例
えば、前記記録装置の電源を入れない状態において、手動（手で直接触れる場合の他、工
具、治具等を用いる場合も含む）で前記動作部を動かしてメンテナンスを行うことが可能
となる。
【００１７】
本発明の第６の態様に係る記録装置は、第５の態様において、前記動作部がギアであり
、前記ギアの一部を露呈させ、他の部分を覆うギアカバー部材を備えている、ことを特徴
とする。
【００１８】
前記動作部としてのギア（歯車）を手動で動かすためには、その一部に触れて歯を移動
させるように回転させればよいので、前記ギアを動かす際のアクセス部位は当該ギアの一
部で足りる。  
本態様によれば、前記ギアが、その一部を露呈させるとともに他の部分を覆うギアカバ
ー部材により覆われているので、該ギアにおいて、アクセス不要な部位に作業者が触れる
ことを抑制または回避することができる。また、前記記録装置の動作時に前記ギアが回転
することにより発生する音が、前記装置本体外に漏れる虞を低減することができる。
【００１９】
本発明の第７の態様に係る記録装置は、第４の態様において、前記記録ヘッドを搭載する
キャリッジと、前記キャリッジを支持し、前記媒体の搬送方向と交差する方向に延設され
るガイド軸と、を備え、前記記録ヘッドにおける液体吐出面と、前記記録ヘッドと対向す
る領域に位置する前記媒体の記録面との間の距離を調整するカム機構を備えるギャップ調
整部と、を備え、前記カム機構が、前記ガイド軸の両端に設けられ、前記一対の側面の両
方に設けられた前記収納ユニット内の前記開口部が、前記ガイド軸の両端に設けられる前
記カム機構に対応する位置にある、ことを特徴とする。  
【００２０】
本態様によれば、前記一対の側面の両方に設けられた前記収納ユニット内の前記開口部か
ら、前記ガイド軸の両端に設けられる前記カム機構のそれぞれにアクセス可能な構成とす
ることができる。  
【００２１】
本発明の第８の態様に係る記録装置は、第７の態様において、前記ガイド軸の両端に設け
られる前記カム機構のうち、少なくとも一方側の前記カム機構の一部と、対応する前記開
口部の一部と、が装置高さ方向及び装置奥行方向において同じ位置にある、ことを特徴と
する。  
【００２２】
本態様によれば、前記カム機構の一部が、対応する前記開口部から確実に露呈するので、
前記開口部から前記カム機構にアクセスし易い構成とすることができる。
【００２３】
本発明の第９の態様に係る記録装置は、第５の態様または第６の態様において、前記記録
ヘッドを搭載し、所定方向に往復移動可能なキャリッジを備え、前記動作部は、前記キャ
リッジの前記往復移動領域の一端側の位置に設定されるホームポジションにおいて、前記
キャリッジの移動をロックするキャリッジロックを解除するためのものであり、前記動作
部にアクセス可能な前記開口部は、前記ホームポジションに近い前記装置本体の側面に設
けられる前記収納ユニット内に設けられている、ことを特徴とする。  
【００２４】
本態様によれば、前記キャリッジの前記ホームポジションにおいて、前記キャリッジの移
動をロックするキャリッジロックにアクセスし易い構成とすることができる。  
【００２５】
本発明の第１０の態様に係る記録装置は、媒体に液体を吐出して記録を行う記録ヘッドを
備える装置本体と、前記装置本体の外部に設けられ、前記記録ヘッドに送る液体を収容す
る液体収容体を収納可能な収納ユニットと、前記液体収容体から前記記録ヘッドに至る前
記液体の流路の少なくとも一部を形成するチューブと、前記装置本体に設けられる構成部
材を動作させるための動作機構を備え、前記収納ユニット内から前記動作機構を露呈させ
る開口部を少なくとも一つ備え、前記開口部を平面視したときに前記動作機構が露呈する
ことを特徴とする。  
【００２６】
本態様によれば、前記開口部を平面視したときに前記動作機構が露呈するので、前記開口
部から前記動作機構にアクセスし易い構成とすることができる。
【図面の簡単な説明】
【００２７】
【図１】実施例１に係るプリンターの外観を表す斜視図。
【図２】実施例１に係るプリンターの用紙搬送経路を示す側断面図。
【図３】実施例１に係るプリンターのインクの供給経路の概略図。
【図４】実施例１に係るプリンターの正面から見て左側の側面及び収納ユニットの分解斜視図。
【図５】実施例１に係るプリンターの正面から見て左側の側面図。
【図６】図５における収納ユニットのカバーを外した状態を示す側面図。
【図７】図６における収納ユニットからインク収容体を外した状態を示す側面図。
【図８】図７における収納ユニットの仕切り部材からカバー部材を外した状態を示す要部拡大図。
【図９】カバー部材の斜視図。
【図１０】図７における収納ユニットから仕切り部材を外した状態を示す側面図。
【図１１】図１０における収納ユニットと外装カバーを外した状態を示す側面図。
【図１２】ギアカバー部材の斜視図。
【図１３】実施例１に係るプリンターの正面から見て右側の側面図。
【図１４】図１３における収納ユニットのカバーを外した状態を示す斜視図。
【図１５】図１４における収納ユニットからインク収容体を外した状態を示す側面図。
【図１６】図１５における収納ユニットの仕切り部材からカバー部材を外した状態を示す要部拡大図。
【図１７】カバー部材の斜視図。
【図１８】図１５における収納ユニットから仕切り部材を外した状態を示す側面図。
【図１９】図１８における収納ユニットを外した状態を示す側面図。
【発明を実施するための形態】
【００２８】
［実施例１］
まず、本発明の一実施例に係る記録装置の概略について説明する。本実施例において、
記録装置の一例としてインクジェット式プリンター（以下、単にプリンターと称する）を
例に挙げる。  
図１は、実施例１に係るプリンターの外観を表す斜視図である。図２は、実施例１に係
るプリンターの用紙搬送経路を示す側断面図である。図３は、インクの供給経路の概略図
である。図４は、実施例１に係るプリンターの正面から見て左側の側面及び収納ユニット
の分解斜視図である。図５は、実施例１に係るプリンターの正面から見て左側の側面図で
ある。図６は、図５における収納ユニットのカバーを外した状態を示す側面図である。図
７は、図６における収納ユニットからインク収容体を外した状態を示す側面図である。
【００２９】
図８は、図７における収納ユニットの仕切り部材からカバー部材を外した状態を示す要
部拡大図である。図９は、カバー部材の斜視図である。図１０は、図７における収納ユニ
ットから仕切り部材を外した状態を示す側面図である。図１１は、図１０における収納ユ
ニットと外装カバーを外した状態を示す側面図である。図１２は、ギアカバー部材の斜視
図である。
【００３０】
図１３は、実施例１に係るプリンターの正面から見て右側の側面図である。図１４は、
図１３における収納ユニットのカバーを外した状態を示す斜視図である。図１５は、図１
４における収納ユニットからインク収容体を外した状態を示す側面図である。図１６は、
図１５における収納ユニットの仕切り部材からカバー部材を外した状態を示す要部拡大図
である。図１７は、カバー部材の斜視図である。図１８は、図１５における収納ユニット
から仕切り部材を外した状態を示す側面図である。図１９は、図１８における収納ユニッ
トを外した状態を示す側面図である。
【００３１】
尚、各図において示すＸ−Ｙ−Ｚ座標系は、Ｘ方向が記録ヘッドの移動方向及び記録装
置の幅方向、Ｙ方向が用紙搬送方向及び記録装置の奥行き方向、Ｚ方向が装置高さ方向を
示している。尚、各図において＋Ｙ方向を装置前面側とし、−Ｙ方向側を装置背面側とす
る。また、プリンターにおいて用紙が搬送されていく方向（＋Ｙ方向）を「下流」といい
、これと反対の方向（−Ｙ方向）を「上流」という。
【００３２】
＜プリンターの全体構成について＞
以下、主として図１〜図３を参照しつつプリンター１０の全体構成について概説する。
本発明に係るプリンター１０（図１）は、「媒体」としての記録用紙に「液体」として
のインクを吐出して記録を行う記録ヘッド２０を備える装置本体１２の上部に、スキャナ
ー部１４を備えており、即ちインクジェット記録機能に加えてスキャナー機能を備える複
合機として構成されている。スキャナー部１４については後に説明する。
【００３３】
装置本体１２の外部には、インクを収容するインク収容体２８（液体収容体）を収納可
能な収納ユニット１８ａ、１８ｂを備えている。  
図１において、装置幅方向（ｘ軸方向）右側に位置する収納ユニット１８ａには、各色
（マゼンタ、シアン、イエロー）のインク収容体２８（図３）が格納され、装置幅方向左
側に位置する収納ユニット１８ｂには黒色（ブラック）のインクを収容するインク収容体
２８が格納されている。  
各色のインク収容体２８から、インクを供給するインクチューブ３０（図３）を介して
後述する記録ヘッド２０に対してインクが供給可能に構成されている。  
インク収容体２８から記録ヘッド２０へのインクの供給経路と、収納ユニット１８ａ及
び収納ユニット１８ｂの構成については、後に更に詳述する。
【００３４】
記録ヘッド２０は、装置本体１２内において図１におけるＸ軸方向に移動可能に構成さ
れるキャリッジ２２に搭載され、記録ヘッド２０と対向する領域に送られる記録用紙に対
してインクを吐出することにより記録が行われるように構成されている。
【００３５】
続いて、図２を参照しつつプリンター１０の用紙搬送経路について説明する。装置本体
１２の下部には、複数の記録用紙Ｐを収容する用紙トレイ１５が設けられている。記録用
紙は用紙トレイ１５から給送ローラー１６（ピックアップローラーとも言う）と送りロー
ラー対１７により、一旦装置背面側（−Ｙ方向）に送られて、中間ローラー１９によって
構成される湾曲搬送経路２１を通って装置前面側（＋Ｙ方向）に送られるようになってい
る。
【００３６】
記録ヘッド２０の用紙搬送方向上流側（装置背面側、−Ｙ方向）には、図示しないモー
ターによって回転駆動される搬送駆動ローラー２３と、該搬送駆動ローラー２３に接して
従動回転する搬送従動ローラー２４とが設けられており、用紙Ｐが記録ヘッド２０の下へ
と送られる。  
装置前面側に送られる記録用紙は、記録ヘッド２０の下方を通り、記録ヘッド２０から
吐出されるインクにより記録が行われる。  
記録ヘッド２０の用紙搬送方向下流側（装置前面側、＋Ｙ方向）には、図示しないモー
ターによって回転駆動される排出駆動ローラー２６と、当該排出駆動ローラー２６に接し
て従動回転する排出従動ローラー２７とが設けられており、記録後の記録用紙Ｐは、装置
前面側に設けられる排出トレイ２５に排出される。
【００３７】
＜インクの供給経路について＞
次に、図３を参照して収納ユニット１８ａ、１８ｂ内に収容されたインク収容体２８か
ら供給されるインクの供給経路について説明する。  
図３に示すように、装置本体１２内にはインク中継部２９が設けられている。インク中
継部２９にはブラック、マゼンタ、シアン、イエローの各色に対応するインク収容体２８
からインクを供給するインクチューブ３０を接続するための接続部２９ａが複数設けられ
ている。インクチューブ３０は、インク収容体２８から記録ヘッド２０に至るインクの流
路の一部を形成している。
【００３８】
インク中継部２９からは、キャリッジ２２側のチューブ接続部３３までを繋ぐインクチ
ューブ３１が、ブラック、マゼンタ、シアン、イエローの各色に対応して設けられている
。インク中継部２９とキャリッジ２２との間の複数のインクチューブ３１は、キャリッジ
２２のＸ軸方向の移動に追従して変形するように構成されている。  
尚、図３においては、構成を分かり易くするために複数のインクチューブ３１がＹ軸方
向に重なって整列するように記載されているが、実機においてはＺ軸方向に重ねられて整
列させられている。
【００３９】
収納ユニット１８ａに設けられた、マゼンタ、シアン、イエローの各色に対応する３つ
の取付部３２ａからは、各色（マゼンタ、シアン、イエロー）のカラーインクに対応する
インクチューブ３０ａが装置本体１２内に延び、インク中継部２９の接続部２９ａにそれ
ぞれ接続されている。  
また、収納ユニット１８ｂ内に設けられた取付部３２ｂからはブラックインクに対応す
るインクチューブ３０ｂが装置本体１２内に延び、インク中継部２９の接続部２９ａに接
続されている。  
以上のように、収納ユニット１８ａ、１８ｂ内の取付部３２ａ、３２ｂに取り付けられ
る各色のインク収容体２８と、記録ヘッド２０を有するキャリッジ２２が、インク中継部
２９を介してインクチューブ３０及びインクチューブ３１により接続されて、記録ヘッド
２０に各色のインクが供給可能となる。
【００４０】
＜収納ユニットについて＞
続いて、前述した収納ユニット１８ａ及び収納ユニット１８ｂの構成について、以下に
説明する。  
まず、図４〜図１２を参照して装置本体１２の前面側から見て左側、すなわち、−Ｘ側
の側面１３ｂ（図５）に設けられる収納ユニット１８ｂについて説明する。  
収納ユニット１８ｂは、装置本体１２の−Ｘ側の側面１３ｂを構成する外装カバー３４
ｂに着脱可能に取り付けられている。  
収納ユニット１８ｂは、図４に示すように、収納ケース本体３６ｂと、収納ケース本体
３６ｂ内のスペースを分ける仕切り部材３８ｂと、収納ユニット１８ｂを開閉するケース
カバー４０ｂによって構成されている。尚、図４において、インク収容体２８及びインク
チューブ３０ｂは省略されている。
【００４１】
収納ユニット１８ｂ内には、前述したようにブラックのインク収容体２８が納められて
いる（図６）。通常（プリンター１０の使用時または非使用時）は、収納ユニット１８ｂ
のケースカバー４０ｂが閉じられており（図５）、インク収容体２８の交換等を行う、或
いは装置本体１２内のメンテナンスを行う等の場合にケースカバー４０ｂが開けられる。
開閉するケースカバー４０ｂはヒンジ部４１を備え、収納ケース本体３６ｂに対して開
閉するように構成されている。尚、ヒンジ部４１とケースカバー４０ｂを繋ぐ不図示のネ
ジを外すことにより、ケースカバー４０ｂは収納ケース本体３６ｂから取り外すことがで
きる。
【００４２】
図４、図１０を参照するに、収納ケース本体３６ｂにはインク収容体２８の取付部３２
ｂが設けられている。また、収納ケース本体３６ｂにおいて、装置本体１２の側面１３ｂ
を構成する外装カバー３４ｂに対向する面には、チューブ挿入部４２ｂが形成されている
。  
また、装置本体１２の外装カバー３４ｂには、収納ケース本体３６ｂのチューブ挿入部
４２ｂに対応する位置に、装置本体１２内に通じる本体側チューブ挿入部４４ｂ（図４）
が設けられている。
【００４３】
図１０に示すように、インク収容体２８の取付部３２ｂの下方からブラックインクに対
応するインクチューブ３０ｂが収納ユニット１８ｂ内を横切ってチューブ挿入部４２ｂに
延びており、インクチューブ３０ｂは、チューブ挿入部４２ｂと本体側チューブ挿入部４
４ｂ（図４）を通って装置本体１２内に導かれている。
【００４４】
収納ユニット１８ｂ内は、仕切り部材３８ｂによって、インク収容体２８を収納するイ
ンク収納部４６ｂ（第１のスペース：図３、図４を参照）と、インク収納部４６ｂに対し
装置本体１２の側に位置してインクチューブ３０ｂを収納するチューブ収納部４８ｂ（第
２のスペース：図３、図４を参照）とに分けられている。  
ケースカバー４０ｂは、インク収納部４６ｂを開閉するように構成されており、図４に
示すケースカバー４０ｂと仕切り部材３８の間がインク収納部４６ｂとなり、仕切り部材
３８と収納ケース本体３６ｂにおける外装カバー３４ｂに対向する面との間がチューブ収
納部４８ｂとなる。
【００４５】
インク収容体２８の取付部３２ｂはインク収納部４６ｂ内に露呈するようになっており
（図３、図６）、取付部３２ｂの下方から引き回されるインクチューブ３０ｂはチューブ
収納部４８ｂ（図３）内に納まるようになっている。したがって、ケースカバー４０ｂを
開けたとき（例えば図７）には、インクチューブ３０ｂは隠れた状態となる。  
この構成によって、例えばインク収容体２８の交換時にケースカバー４０ｂを開けた際
に、ユーザーがインクチューブ３０ｂに触れる虞を低減することができる。また仕切り部
材３８により、引き回されるインクチューブ３０ｂの少なくとも一部を隠すことができる
ので、見栄えの良い外観とすることができる。
【００４６】
ここで、収納ユニット１８ｂは、収納ユニット１８ｂ内から装置本体１２内にアクセス
可能な第１開口部５０と第２開口部５２を備えている（図８）。本実施例では、インク収
納部４６ｂから装置本体１２内にアクセス可能に構成されている。第１開口部５０及び第
２開口部５２の具体的な構成を以下に説明する。  
図４に示すように仕切り部材３８ｂには、第１開口部５０を構成する開口部５０ａ（仕
切り側開口部）と、第２開口部５２を構成する開口部５２ａ（仕切り側開口部）が設けら
れている。また、収納ケース本体３６ｂにおいて、装置本体１２の側面１３ｂを構成する
外装カバー３４ｂに対向する面には、仕切り部材３８ｂの開口部５０ａと開口部５２ａに
対応する位置に、開口部５０ｂと開口部５２ｂが設けられている。更に、装置本体１２の
外装カバー３４ｂには、収納ケース本体３６ｂの開口部５０ｂと開口部５２ｂに対応する
位置に、開口部５０ｃと開口部５２ｃが設けられている。  
【００４７】
開口部５０ａと開口部５０ｂと開口部５０ｃ、或いは開口部５２ａと開口部５２ｂと開口
部５２ｃは、図８に示すように開口の少なくとも一部が重なっており、収納ユニット１８
ｂ内（インク収納部４６ｂ内）から装置本体１２内に連通している。    そして、第１開
口部５０からは、装置本体１２内に設けられるカム機構５４にアクセス可能になっている
。    言い換えると、第１開口部５０は、後述するガイド軸２２ａの端部に設けられるカ
ム機構５４に対応する位置にある。  
【００４８】
カム機構５４は、キャリッジ２２を支持し、用紙Ｐの搬送方向と交差する方向（Ｘ軸方向
）に延設されるガイド軸２２ａ（図２）をＺ軸方向に変位させる機構であり、キャリッジ
２２をＺ軸方向に変位させて、記録ヘッド２０と、記録ヘッド２０と対向する領域に位置
する用紙Ｐの記録面との間の距離（ギャップ：ＰＧ）を調整するギャップ調整部５３（図
８）を構成している。    カム機構５４は、カム部材５６を回動させることによってガイ
ド軸２２ａを変位させることができる。また、符号５８はカム部材５６の固定ネジ５８で
あり、ＰＧを所定の距離に調整した状態でカム部材５６が固定ネジ５８によって固定され
ている。  
【００４９】
また、第２開口部５２からは、装置本体１２内のギア６０にアクセス可能になっている。
ギア６０は、キャリッジ２２を駆動するキャリッジ駆動機構（全体不図示）を構成する歯
車である。尚、キャリッジ駆動機構は、装置本体１２内に設けられる構成部材であり、ギ
ア６０は、前記キャリッジ駆動機構を動作させるための「動作部」である。  
【００５０】
プリンター１０の電源を切った状態では、キャリッジ２２は、キャリッジ２２の往復移動
領域の一端側の位置に設定されるホームポジション（例えば＋Ｘ側端部、図３参照）から
移動しないようにロックされている。このキャリッジ２２のロックは、ギア６０を動かす
ことによって解除されるように構成されている。    すなわちギア６０は、キャリッジ２
２の移動をロックするキャリッジロックを解除するためのものである。したがって第２開
口部５２は、ホームポジションに近い装置本体１２の側面に設けられる収納ユニット内１
８ｂに設けられている。  
【００５１】
ここで、プリンター１０を継続して使用するにあたり、部品交換等のメンテナンスが行わ
れるが、その際、交換頻度の高い部品として記録ヘッド２０及び記録ヘッド２０へのイン
ク供給に係る構成部材（インク中継部２９、インクチューブ３０、３１、チューブ接続部
３３等）が挙げられる。    部品交換等のメンテナンス作業は、作業者の安全性のため、
通常プリンター１０の電源を切った状態で行われる。その際、前述した記録ヘッド２０及
び記録ヘッド２０へのインク供給に係る構成部材の交換を行う場合には、キャリッジ２２
を動かす必要があるため、キャリッジ２２のロック解除操作が必要となる。    また、記
録ヘッド２０に係る構成部材を交換した場合には、部品交換作業後にＰＧ調整を行う必要
がある。  
【００５２】
このような場合に、プリンター１０は、収納ユニット１８ｂ内から装置本体１２内のギア
６０にアクセス可能な第２開口部５２を備えているので、収納ユニット１８ｂを装置本体
１２から取り外すことなく、メンテナンス作業者がギア６０を手動（手で直接触れる場合
の他、治具等を用いる場合も含む）で回転させ、キャリッジ２２のロック解除を行うこと
ができる。    また、第１開口部５０からは、装置本体１２内のカム機構５４にアクセス
可能であるので、収納ユニット１８ｂを装置本体１２から取り外すことなく、記録ヘッド
２０のＰＧ調整を行うことができる。    すなわち、収納ユニット１８ｂ内から装置本体
１２内のメンテナンスを容易に行うことができる。
【００５３】
尚、第２開口部５２から操作することができるギア６０は、キャリッジ駆動機構を構成
する歯車に限られず、歯車により動作する他の構成部材のギアでもよい。また、装置本体
１２内に設けられる「動作部」はギアに限らず、装置本体１２内に設けられる他の機構を
動作させるレバーやスイッチ等でもよい。  
また、第１開口部５０を構成する開口部５０ａ、５０ｂ、５０ｃ、または第２開口部５
２を構成する開口部５２ａ、５２ｂ、５２ｃは、周縁で囲われた形状に限定されず、切欠
き形状でもよい。
【００５４】
また本実施例において、仕切り部材３８ｂには、開口部５０ａ、開口部５２ａを開閉可
能な「カバー部材」としてのカバー６２（図７、図９を参照）が着脱可能に設けられてい
る。  
カバー６２（図９）は、第１係合部６４と、第２係合部６６、及び第３係合部６８を備
えている。第１係合部６４は、図８に示す開口部５０ａの第１被係合部７０と係合し、第
２係合部６６は、開口部５０ａの第２被係合部７２と係合し、第３係合部６８は、開口部
５２ａの第３被係合部７４と係合する。第１係合部６４はスナップフィットにより固定さ
れるように構成されている。
【００５５】
カバー６２が設けられていることにより、部品交換等の装置本体１２内のメンテナンス
時にはカバー６２を開け、装置本体１２内のメンテナンスを行わないときにはカバー６２
を閉じることができる。  
以って、非メンテナンス時に装置本体１２内への塵や埃等の異物の侵入を抑制するとと
もに、見栄えの良い外観とすることができる。  
尚、本実施例では一つのカバー６２で開口部５０ａ、開口部５２ｂの両方を覆うように
構成したが、開口部５０ａ、開口部５２ｂのそれぞれに個別のカバーを設けることもでき
る。また、カバー６２は着脱可能に構成される他、ヒンジ部を有する開閉式や仕切り部材
の面に対してスライドするスライド式のカバー部材とすることも可能である。
【００５６】
更に本実施例において、ギア６０には、ギア６０を覆うギアカバー７６（ギアカバー部
材）が設けられている（図１１、図１２）。ギアカバー７６は、ギア６０の一部を露呈さ
せるギアアクセス部７８を備え、他の部分がギアカバー７６により覆われている。  
ギア６０がギアカバー７６により覆われていることにより、ギア６０において、アクセ
ス不要な構成部材に作業者が触れることを抑制または回避することができる。また、プリ
ンター１０の動作時にギア６０が回転することにより発生する音が、装置本体１２外に漏
れる虞を低減することができる。
【００５７】
キャリッジ駆動機構を構成するギア６０を回転させる際には、ギア６０の一部に触れて
歯車の歯を移動させるように動かせばよいので、ギアアクセス部７８から露呈するギア６
０の一部にアクセスすることにより、ギア６０を回転させることができる。
【００５８】
続いて、図１３〜図１９を参照して装置本体１２の前面側から見て右側、すなわち、＋
Ｘ側の側面１３ａ（図３参照）に設けられる収納ユニット１８ａについて説明する。  
収納ユニット１８ａは、装置本体１２の＋Ｘ側の側面１３ａを構成する外装カバー３４
ａに着脱可能に取り付けられている。
【００５９】
収納ユニット１８ａは、収納ケース本体３６ａ（図１４）と、収納ケース本体３６ａ内
のスペースを分ける仕切り部材３８ａ（図１５）と、収納ユニット１８ａを開閉するケー
スカバー４０ａ（図１３）によって構成されている。  
図１４に示すように、収納ユニット１８ａ内にはマゼンタ、シアン、イエローのインク
収容体２８が納められている。  
収納ユニット１８ｂ側のケースカバー４０ｂと同様に、ケースカバー４０ａはヒンジ部
４１を備え、収納ケース本体３６ａに対して開閉するように構成されているとともに、ヒ
ンジ部４１とケースカバー４０ａを繋ぐ不図示のネジを外すことにより収納ケース本体３
６ａから取り外すことができる様になっている。
【００６０】
続いて図１８を参照するに、収納ケース本体３６ａにはインク収容体２８の取付部３２
ａが設けられている。また収納ケース本体３６ａにおいて、装置本体１２の側面１３ａを
構成する外装カバー３４ａに対向する面には、チューブ挿入部４２ａが形成されている。
また、図１９に示す外装カバー３４ａには、収納ケース本体３６ａ側のチューブ挿入部
４２ａに対応する位置に、装置本体１２内に通じる本体側チューブ挿入部４４ａが設けら
れている。
【００６１】
チューブ挿入部４２ａと本体側チューブ挿入部４４ａからは、装置本体１２内のインク
中継部２９に繋がるチューブ接続部４３（図１８、図１９）が露出している。そして図１
８に示すように、マゼンタ、シアン、イエローの各インクに対応するインク収容体２８の
取付部３２ａの下方から、インクチューブ３０ａが収納ユニット１８a内を横切ってチュ
ーブ挿入部４２ａに延びており、チューブ接続部４３に接続されている。
【００６２】
収納ユニット１８ａは、収納ユニット１８ｂと同様に、仕切り部材３８ａによって、イ
ンク収納部４６ａ（第１のスペース：図３）とチューブ収納部４８ａ（第２のスペース：
図３）とに分けられている。チューブ収納部４８ａは、インク収納部４６ａに対し装置本
体１２の側に位置している。  
したがって、取付部３２ａの下方から引き回されるインクチューブ３０ａは、ケースカ
バー４０ａを開けたときに、インクチューブ３０ａはチューブ収納部４８ａ内に納められ
て隠れた状態となり、見栄えの良い外観とすることができる。
【００６３】
収納ユニット１８aは、収納ユニット１８aのインク収納部４６ａから装置本体１２内に
アクセス可能な第３開口部８０、第４開口部８２及び第５開口部８４を備えている。第３
開口部８０、第４開口部８２及び第５開口部８４の具体的な構成を以下に説明する。
【００６４】
仕切り部材３８ａ（図１５）には、第３開口部８０を構成する開口部８０ａ（仕切り側開
口部、図１６も参照）と、第４開口部８２を構成する開口部８２ａ（仕切り側開口部）と
、第５開口部８４を構成する開口部８４ａ（仕切り側開口部）が設けられている。    尚
、図１５において開口部８０ａにはカバー８８が設けられている。カバー８８については
後に説明する。  
【００６５】
また、収納ケース本体３６ａ（図１８）において、装置本体１２の側面１３ａを構成する
外装カバー３４ａに対向する面には、仕切り部材３８ａの開口部８０ａ、開口部８２ａ及
び開口部８４ａに対応する位置に、開口部８０ｂ、開口部８２ｂ及び開口部８４ｂが設け
られている。更に、装置本体１２の外装カバー３４ａ（図１９）には、収納ケース本体３
６ａの開口部８０ｂ、開口部８２ｂ及び開口部８４ｂに対応する位置に、開口部８０ｃ、
開口部８２ｃ及び開口部８４ｃが設けられている。  
【００６６】
開口部８０ａと開口部８０ｂと開口部８０ｃ、開口部８２ａと開口部８２ｂと開口部８２
ｃ、或いは開口部８４ａと開口部８４ｂと開口部８４ｃは、開口の少なくとも一部が重な
っており（例えば図１６に示す開口部８０ａと開口部８０ｂと開口部８０ｃを参照）、収
納ユニット１８a内（インク収納部４６ａ内）から装置本体１２内に連通している。  
【００６７】
第３開口部８０からは、装置本体１２内のガイド軸２２ａの端部に設けられるカム機構８
６（図１６、図１８）にアクセス可能になっている。言い換えると、第３開口部８０は、
ガイド軸２２ａの端部に設けられるカム機構８６に対応する位置にある。カム機構８６は
、側面１３ｂ側に設けられるカム機構５４と同様、記録ヘッド２０と用紙Ｐの記録面との
間のギャップ（ＰＧ）を調整するギャップ調整部５３であり、キャリッジ２２を支持する
ガイド軸２２ａ（図２）をＺ軸方向に変位させる機構である。    すなわち、本実施例に
おいてギャップ調整部５３を構成するカム機構５４、カム機構８６は、ガイド軸２２ａの
両端に設けられている。    第３開口部８０を備えることにより、収納ユニット１８aを
装置本体１２から取り外すことなく、記録ヘッド２０のＰＧ調整を行うことができる。  
【００６８】
ガイド軸２２ａの両端に設けられるカム機構５４、カム機構８６は、対応する開口部（第
１開口部５０、第３開口部８０）の一部と装置高さ方向（Ｚ軸方向）及び装置奥行方向（
Ｙ軸方向）において同じ位置にあることが望ましい。    換言すると、第１開口部５０或
いは第３開口部８０を平面視したとき（Ｘ軸方向に沿って見たとき）にカム機構５４或い
はカム機構８６が露呈している。  
【００６９】
このことによりカム機構５４、カム機構８６の一部が、対応する第１開口部５０、第３開
口部８０から確実に露呈するので、それぞれのカム機構５４、カム機構８６にアクセスし
易い構成とすることができる。    もちろん、開口部からアクセス可能であれば、装置高
さ方向と及び装置奥行方向において少しずれた位置にあってもよい。  
【００７０】
また、第４開口部８２及び第５開口部８４からは、それぞれ装置本体１２内に設けられる
固定ネジ９８、固定ネジ９９（図３）にアクセス可能になっている。尚、固定ネジ９８、
固定ネジ９９は、廃液ポンプユニット９７（図３）を固定する固定ネジである。    固定
ネジ９８、固定ネジ９９を外すと、廃液ポンプユニット９７が装置前面側（＋Ｙ側）に取
り出せるように構成されている。    固定ネジ９８、固定ネジ９９は、第４開口部８２、
第５開口部８４からドライバー等の工具を装置本体１２内に挿入して外すことができる。
言い換えると、装置本体１２内に設けられる固定ネジ９８、固定ネジ９９は、収納ユニッ
ト１８a内（インク収納部４６ａ内）からアクセス可能に構成されている。  
【００７１】
第４開口部８２及び第５開口部８４が設けられていることにより、収納ユニット１８aを
装置本体１２から取り外すことなく、廃液ポンプユニット９７の固定状態を解除して、取
り出し可能な状態とすることができる。
【００７２】
また仕切り部材３８ａには、前述したように開口部８０ａを開閉可能な「カバー部材」
としてのカバー８８（図１５、図１７）が着脱可能に設けられている。  
カバー８８（図１７）は、第１係合部９０及び第２係合部９２を備えている。第１係合
部９０は、図１６に示す開口部８０ａの第１被係合部９４と係合し、第２係合部９２は、
開口部８０ａの第２被係合部９６と係合する。第１係合部９０はスナップフィットにより
固定されるように構成されている。
【００７３】
カバー８８が設けられていることにより、非メンテナンス時に装置本体１２内への塵や
埃等の異物の侵入を抑制するとともに、見栄えの良い外観とすることができる。  
尚、本実施例において開口部８２ａ及び開口部８４ａにはカバー部材は設けられていな
いが、開口部８０ａと同様にカバー部材を設けることも可能である。
【００７４】
また本実施例では、収納ユニット１８ａ、１８ｂが、装置本体１２を構成する一対の側
面１３ａ、１３ｂの両方に設けられており、それぞれの収納ユニット１８ａ、１８ｂ内に
開口部（第１開口部５０、第２開口部５２、第３開口部８０、第４開口部８２、及び第５
開口部８４）を備えている。このことにより、装置本体１２の側面１３ａ、１３ｂの両側
から装置本体１２内にアクセスでき、メンテナンス性がよい装置とすることができる。
【００７５】
＜プリンターの他の構成（スキャナー部）について＞
前述したように、プリンター１０は、インクジェット記録機能に加えてスキャナー機能
を備える複合機として構成されている。以下において、原稿の画像を読み取るスキャナー
部１４（図１参照）の概要について説明する。スキャナー部１４は、上面に原稿を載置す
る原稿台１４ａを備えた読み取り機構部１４ｂと、読み取り機構部１４ｂに対して閉じた
姿勢と開いた姿勢とを切換え可能な給送機構部１４ｃとを備えている。本実施例において
給送機構部１４ｃは装置背面側の端部を回動支点として読み取り機構部１４ｂに対して回
動可能に構成されている。
【００７６】
そして、給送機構部１４ｃを読み取り機構部１４ｂに対して開いた姿勢にすることによ
り、原稿台１４ａに原稿をセットすることが可能である。また、読み取り機構部１４ｂ内
には原稿台１４ａにセットされた原稿の被読み取り面を読み取り可能な読み取り手段（不
図示）が設けられている。また、給送機構部１４ｃは原稿セット部１４ｄにセットされた
原稿を原稿排出トレイ１４ｅに向けて搬送可能に構成されており、原稿の搬送途中で原稿
の被読み取り面を読み取り手段により読み取り可能に構成されている。
【００７７】
尚、本発明は上記実施形態に限定されることなく、特許請求の範囲に記載した発明の範
囲内で種々の変形が可能であり、それらも本発明の範囲内に含まれるものであることは言
うまでもない。  
例えば、記録装置内部に設けられ、記録ヘッドにインクを供給するインクカートリッジ
と、記録装置外部に設けられ、該インクカートリッジに連続的にインクを供給可能な連続
インク供給装置（ＣＩＳＳ）を備える記録装置において、ＣＩＳＳを収容する収容ユニッ
トに開口部を設けることも可能である。
【符号の説明】
【００７８】
１０…インクジェットプリンター（記録装置）、１２…装置本体、
１３ａ、１３ｂ…側面、１４…スキャナー部、１４ａ…原稿台、
１４ｂ…読み取り機構部、１４ｃ…給送機構部、１５…用紙トレイ、
１６…給送ローラー、１７…送りローラー対、１８ａ、１８ｂ…収納ユニット、
１９…中間ローラー、２０…記録ヘッド、２１…湾曲搬送経路、
２２…キャリッジ、２３…搬送駆動ローラー、２４…搬送従動ローラー、
２５…排出トレイ、２６…排出駆動ローラー、２７…排出従動ローラー、
２８…インク収容体、２９…インク中継部、２９ａ…接続部、
３０、３０ａ、３０ｂ…インクチューブ、３１…インクチューブ、
３２ａ、３２ｂ…取付部、３３…チューブ接続部、３４ａ、３４ｂ…外装カバー、
３６ａ、３６ｂ…収納ケース本体、３８ａ、３８ｂ…仕切り部材、
４０ａ、４０ｂ…ケースカバー、４１…ヒンジ部、
４２ａ、４２ｂ…チューブ挿入部、４４ａ、４４ｂ…本体側チューブ挿入部、
４６ａ、４６ｂ…インク収納部（第１のスペース）、
４８ａ、４８ｂ…チューブ収納部（第２のスペース）、
５０…第１開口部、５０ａ…開口部、５０ｂ…開口部、５０ｃ…開口部、
５２…第２開口部、５２ａ…開口部、５２ｂ…開口部、５２ｃ…開口部、
５３…ギャップ調整部、５４…カム機構、５６…カム部材、５８…固定ネジ、
６０…ギア、６２…カバー（カバー部材）、６４…第１係合部、６６…第２係合部、
６８…第３係合部、７０…第１被係合部、７２…第２被係合部、
７４…第３被係合部、７６…ギアカバー、７８…ギアアクセス部、
８０…第３開口部、８０ａ…開口部、８０ｂ…開口部、８０ｃ…開口部、
８２…第４開口部、８２ａ…開口部、８２ｂ…開口部、８２ｃ…開口部、
８４…第５開口部、８４ａ…開口部、８４ｂ…開口部、８４ｃ…開口部、
８６…カム機構、８８…カバー（カバー部材）、９０…第１係合部、
９２…第２係合部、９４…第１被係合部、９６…第２被係合部、
９７…廃液ポンプユニット、９８…固定ネジ、９９…固定ネジ
【図１】
2017124566.tif 000003
【図２】
2017124566.tif 000004
【図３】
2017124566.tif 000005
【図４】
2017124566.tif 000006
【図５】
2017124566.tif 000007
【図６】
2017124566.tif 000008
【図７】
2017124566.tif 000009
【図８】
2017124566.tif 000010
【図９】
2017124566.tif 000011
【図１０】
2017124566.tif 000012
【図１１】
2017124566.tif 000013
【図１２】
2017124566.tif 000014
【図１３】
2017124566.tif 000015
【図１４】
2017124566.tif 000016
【図１５】
2017124566.tif 000017
【図１６】
2017124566.tif 000018
【図１７】
2017124566.tif 000019
【図１８】
2017124566.tif 000020
【図１９】
2017124566.tif 000021